(57)【特許請求の範囲】
【請求項１】
周方向に分割された多数のセグメント（４−６）からなり、前記セグメント外周面に樹脂製のガイドベルト（１１）が配置され、該ガイドベルト（１１）には、前記セグメントの分離継目（７−９）の領域のそれぞれ外側からガイドベルト（１１）内へ延びるそれぞれ少なくとも１つの破断部（１２−１４；１２′、１２″）が設けられており、前記破断部（１２−１４；１２′、１２″）が弾頭長手軸線（１５）の方向に延びるスリット形状の長手溝として形成されており、該長手溝（１２−１４；１２′、１２″）の長さ（１６）がガイドベルト（１１）の幅の少なくとも３０％より大きい、小口径弾頭用の脱離可能な発射ケージ（３）において、
前記破断部は（１２−１４；１２′、１２″）、前記ガイドベルト（１１）上の前記セグメント分離継ぎ目（７−９）部分のみに設けられており、
前記破断部長手溝の幅は０．６ｍｍ以下であり、
前記長手溝（１２−１４；１２′、１２″）の長さ（１６）と深さとは、発射ケージ（３）が脱離する際にガイドベルト（１１）内に周方向に延びる裂け目が形成されることを防止するように選択されていることを特徴とする小口径弾頭用の脱離可能な発射ケージ。
【請求項２】
前記ガイドベルト（１１）がポリアミドから形成されることを特徴とする請求項１に記載の発射ケージ。
【発明の詳細な説明】
【０００１】
【発明の属する技術分野】
本発明は小口径弾頭用の脱離可能な発射ケージに関する。
【０００２】
【従来の技術】
砲身から打ち出される弾頭用の発射ケージには樹脂、特にポリアミドからなるガイドベルトが設けられていることがほとんどであり、このガイドベルトの発射ケージセグメントの分離継目の領域には破断すべき箇所（破断部）が設けられている。発射ケージの脱離過程においてはガイドベルトの分離はこの破断部の破断により開始される。
【０００３】
【発明が解決しようとする課題】
しかし、ガイドベルトは、特に弾頭が何年も保管場所におかれていた場合には、もはや再現性良好に破断することはできないことが明らかにされている。何故なら、樹脂が時間と共に湿気を吸収して、その際に最初の比較的もろい性質を失ってしまうからである。湿気によってガイドベルトの延性が増大するため、弾頭の発射後に発射ケージが脱離するまでの時間がばらつくようになり、また、脱離時に発射ケージの各セグメントがそれぞれ異なる大きさで脱離する場合がある。
【０００４】
これにより、個々の発射ケージセグメントの後部がペネトレータにぶつかって比較的大きな初期障害がもたらされ、初期障害が生じる確率が増大するとともに、ペネトレータが励振されて激しく振子運動をするようになる。この振子運動により最終的な弾道効率が低下し、特に命中精度が減少してしまう。
ドイツ特許公開公報第４００９２２０号には、ガイドベルトの破断に及ぼす湿気の影響を減少させるために、樹脂製セグメントを有する個々のガイドベルトを保持リングによってまとめておくことが記載されている。この保持リングは湿気には影響を受けないもろい材料から形成されるが、このような部材点数の多いガイドベルト（保持リングを有する樹脂製セグメント）は構造が複雑になる問題がある。
【０００５】
本発明は上記問題に鑑み、簡単な方法でガイドベルトへの湿気の影響の有無にかかわらず、再現性良好な発射ケージの脱離を可能とする脱離可能な発射ケージを提供することを目的としている。
【０００６】
【課題を解決するための手段】
本発明によれば、周方向に分割された多数のセグメントからなり、前記セグメント外周面に樹脂製のガイドベルトが配置され、該ガイドベルトには、前記セグメントの分離継目の領域のそれぞれ外側からガイドベルト内へ延びるそれぞれ少なくとも１つの破断部が設けられており、前記破断部が弾頭長手軸線の方向に延びるスリット形状の長手溝として形成されており、該長手溝の長さがガイドベルトの幅の少なくとも３０％より大きい、小口径弾頭用の脱離可能な発射ケージにおいて、前記破断部は、前記ガイドベルト（１１）上の前記セグメント分離継ぎ目（７−９）部分のみに設けられており、前記破断部長手溝の幅は０．６ｍｍ以下であり、前記長手溝の長さと深さとは、発射ケージが脱離する際にガイドベルト内に周方向に延びる裂け目が形成されることを防止するように選択されていることを特徴とする小口径弾頭用の脱離可能な発射ケージが提供される。
【０００７】
本発明は、公知の構造のガイドベルトの発射ケージのセグメントの分離継目部分に、スリット形状の長手溝を設けるという概念に基づいている。この長手溝は好ましくは、ガイドベルトの幅の少なくとも３０％を越えた長さとされ、かつその深さは各発射ケージの分離過程の際にガイドベルトに周方向に延びる裂け目が形成されることを防止するように選択される。
【０００８】
長手溝の後側端部とガイドベルトの後側端部との間には、所定の幅の領域が残されており、この領域によって弾頭発射の際にガイドベルトのシール機能が維持される。
この種の長手溝は、ガイドベルト材料としてポリアミドを使用する発射ケージの場合に特に好適であることが明らかにされている。ポリアミド材料はまず、ガイドベルトとして必要な２つの機能、すなわちシール機能と砲身内での弾頭の案内機能とを満足させるのに特に適しているが、他方では湿気を吸収した場合に比較的柔軟になり破断特性が著しく変化してしまうからである。
【０００９】
【発明の実施の形態】
図１において、符号１は小口径弾頭を示す。この弾頭は安定翼を有するペネトレータ２と２フランジ発射ケージ３とから形成される。発射ケージ３は３つのセグメント４−６（図２）から組み立てられ、それらは互いに継目７−９で当接するように後フランジ（圧力フランジ）１０の領域でガイドベルト１１によってまとめて保持される。
【００１０】
本発明によれば、ガイドベルト１１には分離継目７ー９に沿って長手溝１２−１４が形成されている。長手溝１２−１４は、弾頭１が砲身を出ると直ちに、これらの長手溝にそってガイドベルト１１に所定の裂け目を生じさせる。
図３は、発射ケージセグメント６と４間に設けられた分離継目７部分を示す。図３に示すように、長手溝１２は弾頭長手軸線１５に平行に延び（図１）、かつガイドベルト１１の幅１７の略全体にわたって延びる長さ１６を有する。
【００１１】
長手溝１２の深さは、ガイドベルト１１が分離継目７の領域で弱体化されてはいるが、ガイドベルト１１の周方向に裂け目が進行することが確実に防止されるように設定されている。すなわち、長手溝１２を形成する長手方向の切り込みは、ガイドベルト１１内で、ガイドベルト１１をセグメント周囲に固定するために必要とされるガイドベルト１１の下部構造のウエブを長手溝１２の断面プロフィール内に取り込むように位置決めされる。これにより、裂け目を周方向に進行させるようなガイドベルトの急激な断面変化が補償される。
【００１２】
このように長手溝１２を形成することにより、確実かつ再現性良好に軸線方向に裂け目を進行させることが可能となる。切り込み幅は０．６ｍｍ以下とすることにより、軸線方向に延びる長手溝１２は、火器砲身（図示せず）の端部から砲身内に弾頭が圧入されたときに、砲身から受ける圧力により押し出されるガイドベルト材料によって軸線方向に延びる長手溝１２が完全に閉鎖されることが保証されるので、ガイドベルト１２のシール機能が損なわれることはない。
【００１３】
切り込みにより形成される長手溝１２の長さと深さは、それぞれのガイドベルトの幾何学形状に適合させなければならない。すなわち、ガイドベルト１１の急激な断面変化は長手溝１２を形成する切り込みを位置決めすることによって補償しなければならない。また、ガイドベルトの保持機能を保証するためには、ガイドベルト１１の十分な横断面積を維持しなければならない。
【００１４】
図４と５に示す２つの実施形態においては、長手溝１２′と１２″は同様に、ガイドベルト１１に周方向に裂け目が進行することを確実に防止するように形成されているが、長手溝の長さは図３に示す実施形態の場合よりも幾分小さい。実験によれば、長手溝１２の長さ１６はそれぞれのガイドベルト１１の幅１７の長さの少なくとも３０％より大きい必要がある。
【００１５】
分離継目におけるガイドベルトのシール機能を維持することができるようにするために、長手溝はガイドベルトの後端１８（図３）で直接始まるのではなく、後端１８からある距離を隔てた所で始まるようにする必要があり、その距離はそれぞれの弾頭の型式に応じて実験的に決定される。
【００１６】
【発明の効果】
以上の説明から明らかなように、本発明によれば発射ケージのガイドベルトのケージセグメント分離継目部分に長手溝形状の破断部を設けたことにより、保管中の湿気の影響を受けることなく、弾頭発射後に確実に発射ケージを脱離させることが可能となるという効果を奏する。
【図面の簡単な説明】
【図１】本発明による発射ケージを有する小口径の装甲弾頭の一実施形態の側面図である。
【図２】図１にII−IIで示す切断線に沿った弾頭の断面図である。
【図３】図１にIII で示す圧力フランジ領域の拡大断面図である。
【図４】本発明の図１とは別の実施形態における圧力フランジ領域を示す図３と同様な図である。
【図５】本発明の図１とは別の実施形態における圧力フランジ領域を示す図３と同様な図である。
【符号の説明】
１…小口径弾頭
２…ペネトレータ
３…発射ケージ
４−６…発射ケージセグメント
７−９…分離継目
１０…圧力フランジ
１１…ガイドベルト
１２−１４…長手溝
１２′、１２″…長手溝
１５…弾頭長手軸線
１８…ガイドベルト始端
【図１】
0003677092.tif 000002
【図２】
0003677092.tif 000003
【図３】
0003677092.tif 000004
【図４】
0003677092.tif 000005
【図５】
0003677092.tif 000006